(57)【要約】      （修正有）【課題】竜頭の端面に設けられるロゴや商標の位置を所定の向きに容易に調整することができる単純で経済的な構成のねじ込み式の竜頭の向き調整デバイスを提供する。【解決手段】ねじ込み式の向きを合わせることが可能な竜頭、チューブ３と一体化されており特有な印Ｌがあるカバー１と、腕時計のケース中間部１００に押し込まれチューブ３を受けるように意図された固定された本体２と、及び腕時計のケース中間部１００に対するカバー１の角度的向きを調整する手段とを有する。カバーの角度的向きを調整する手段は、チューブ３にねじ込まれるように構成しているリング４を有し、リング４は、本体２に形成された第２のインデクシング手段と連係するように構成している第１のインデクシング手段を有し、リング４は、第１及び第２のインデクシング手段を介して本体２に押され本体２に接するように配置される。【選択図】図１
2018021906.tif 000002
【特許請求の範囲】
【請求項１】
ねじ込み式の向きを合わせることが可能な竜頭（Ｃ）であって、
チューブ（３）と一体化されており特有な印（Ｌ）があるカバー（１）と、
時計のケース中間部（１００）にマウントされ前記チューブ（３）を受けるように意図された固定された本体（２）と、及び
前記時計のケース中間部（１００）に対する前記カバー（１）の角度的向きを調整する手段とを有し、
前記カバー（１）の角度的向きを調整する手段は、前記チューブ（３）にねじ込まれるように構成しているリング（４）を有し、
前記リング（４）は、前記本体（２）に形成された第２のインデクシング手段と連係するように構成している第１のインデクシング手段を有し、
前記リング（４）は、前記第１及び第２のインデクシング手段を介して前記本体（２）に押され前記本体（２）に接するように配置される
ことを特徴とするねじ込み式の向きを合わせることが可能な竜頭（Ｃ）。
【請求項２】
前記第１及び第２のインデクシング手段には、一方が他方の内側になるように軸方向に係合するように構成しているフルート溝（２０１、４０１）がある
ことを特徴とする請求項１に記載のねじ込み式の向きを合わせることが可能な竜頭（Ｃ）。
【請求項３】
前記リング（４）は、前記チューブ（３）と前記本体（２）の間で押され、
前記チューブ（３）、前記リング（４）及び前記本体（２）は、前記カバー（１）に形成された環状の溝（１２）の内側に収容される
ことを特徴とする請求項１又は２に記載のねじ込み式の向きを合わせることが可能な竜頭（Ｃ）。
【請求項４】
前記本体（２）には、前記リング（４）に対する止めを形成する内側肩部（２０）がある
ことを特徴とする請求項１〜３のいずれかに記載のねじ込み式の向きを合わせることが可能な竜頭（Ｃ）。
【請求項５】
前記チューブ（３）には、前記リング（４）に当接する止め面（３１）がある
ことを特徴とする請求項１〜４のいずれかに記載のねじ込み式の向きを合わせることが可能な竜頭（Ｃ）。
【請求項６】
前記カバー（１）と前記本体（２）の間に、シーリング手段が配置される
ことを特徴とする請求項１〜５のいずれかに記載のねじ込み式の向きを合わせることが可能な竜頭（Ｃ）。
【請求項７】
前記チューブ（３）は、前記リング（４）のねじ山付き区画（４０）と連係するように構成している外側ねじ山（３２）を有し、これによって、当該竜頭（Ｃ）をねじ込み、かつ／又は、緩める
ことを特徴とする請求項１〜６のいずれかに記載のねじ込み式の向きを合わせることが可能な竜頭（Ｃ）。
【請求項８】
前記リング（４）は、前記本体（２）と前記カバー（１）の間で押される
ことを特徴とする請求項１又は２に記載のねじ込み式の向きを合わせることが可能な竜頭（Ｃ）。
【請求項９】
請求項１〜８に記載のねじ込み式の向きを合わせることが可能な竜頭（Ｃ）をマウントする方法であって、
前記カバー（１）を前記チューブ（３）にマウントするステップと、
前記本体（２）を前記ケース中間部（１００）にマウントするステップと、
単一のアセンブリーを形成するように、前記リング（４）を前記チューブ（３）に可能な限り多くねじ込むステップと、
前記特有な印（Ｌ）の向きを選択し、前記リング（４）が前記本体（２）の内側肩部（２）に当接するまで前記リング（４）のフルート溝（４０１）を前記本体（２）のフルート溝（２０１）どうしの間に軸方向に滑らせることによって、前記ねじ込むステップで得られたアセンブリーを前記本体（２）の内側に押し込むステップと
を有することを特徴とするマウントする方法。
【請求項１０】
前記カバー（１）の内側の前記本体（２）と前記カバー（１）の間にガスケット（７）を配置するステップを有する
ことを特徴とする請求項９に記載のマウントする方法。
【請求項１１】
請求項１〜８のいずれかに記載のねじ込み式の向きを合わせることが可能な竜頭（Ｃ）がマウントされている
ことを特徴とする計時器。
【発明の詳細な説明】
【技術分野】
【０００１】
本発明は、計時器のためのねじ込み式の竜頭の向きを調整するデバイスに関し、より詳細には、竜頭の端面にモチーフないしロゴを有し所望のようにそのモチーフの向きを合わせることが可能な竜頭に関する。
【背景技術】
【０００２】
巻きステム又は制御ステムにおいて腕時計のシーリングを改善させるために、ねじ込み式の竜頭がよく腕時計に備えられている。このタイプの竜頭には、腕時計を巻いたりセットしたりすることができる非ねじ込み位置と、及び竜頭がねじ込まれ、シーリングガスケットを圧縮するように腕時計のケース中間部に押し込まれ又はねじ込まれたチューブにロックされ、これによって、腕時計のシーリングを改善するような、ねじ込まれた位置とになることができるという特色がある。このように、ねじ込まれた位置は、腕時計が着用されているときの通常の位置に対応する位置であり、この位置は、シーリングガスケットの摩耗を例外として、多かれ少なかれ常に同じである。
【０００３】
腕時計ケースにおけるこのようなねじ込み式の竜頭の製造及び組み立ては、広く知られている。しかし、このような竜頭を組み立てる方法は、竜頭の端面に、ロゴ、商標又は同様な印のような刻印又はモチーフがあるねじ込み式の竜頭には適していない。実際に、既知の製造方法では、一般的には、ねじ込まれたときに竜頭をケースに対して所定の向きにすることができない。このために、竜頭の端面に刻印がある場合にはケースの美的外観を害してしまう。このような竜頭が高品質な贅沢品に取り付けられる場合には、この状況はもちろん受け入れがたい。
【０００４】
欧州特許出願ＥＰ１１２４１６７Ａ１にて、竜頭をチューブにねじ込んだ後に竜頭を所定の位置又は向きに調整することを可能にする１つの手法が提案されている。この文献によると、ケース中間部とチューブの間又は竜頭とチューブの間のいずれかに、形状記憶合金によって作られたリングが配置される。リングの変形を利用することによって、具体的には、腕時計を特定温度にしてリングの径を小さくすることによって、それぞれケース中間部とチューブの間又は竜頭とチューブの間に、一時的クリアランスを形成することができ、このクリアランスによって、ねじ込まれた位置にある竜頭の角度調整が可能になる。この手法の課題の１つは、小さな寸法の棒体の形態の形状記憶合金を現状では利用可能ではなく、関心事の用途に必要な小さな寸法の範囲内で当該リングを機械加工することは難しく高コストとなってしまうことである。また、このプロセスは、腕時計製造業者による竜頭の初期の組み立てのみにおいて行われることを意図されたものであり、竜頭の向きを調整するその後の操作に用いると、温度変動に敏感な腕時計の他の部品を損傷してしまうリスクがある。
【０００５】
欧州特許ＥＰ１７０１２２５は、巻きステムと一体化された頭部と、及び刻印があるカバーとを有するねじ込み式の向きを合わせることが可能な竜頭について記載している。その頭部とカバーは、弾性要素を介して互いに接するように保持された円錐台形状の面によって回転可能に一体化されている。カバーの角位置の調整は、カバーをケース中間部に対して竜頭の縦方向の軸に沿って軸方向に引き出すことによって達成される。この手法の主な課題は、円錐台形状の面どうしの間の摩擦力のみによって、カバーが頭部に対して回転可能に一体化されることである。この摩擦力では、腕時計の耐用年数にわたる信頼性、特に、弾性要素が与える圧縮力が徐々に弱くなるときの信頼性が十分ではない。また、別の課題として、同じ角位置を正確に得ることができることを確実にすることができないということがある。なぜなら、逐次近似でしか角位置を判断することができないからである。
【０００６】
欧州特許ＥＰ１４１１４０１は、向きを合わせることが可能な基材を竜頭の上側外面に有する竜頭について記載している。この基材には刻印があり、ブレーキ手段に圧力が与えられたときに、この基材を竜頭の頭部から係合解除して回転可能にすることができる。この手法の課題は、衝撃に対する堅牢性が高いことである。また、このような衝撃は基材に圧力を与えることがあり、そのために、竜頭の本体に対して基材の向きを望ましくないように変えてしまうことがある。また、竜頭の扱いに様々な注意を払って、ケース中間部の方にいずれの圧力をも与えることを避けて、基材が不適切に回転することを防がなければならない。このため、竜頭を快適に使用することができなくなってしまう。
【発明の概要】
【発明が解決しようとする課題】
【０００７】
本発明は、前記の既知の技術の様々な課題を克服することを目的とする。
【０００８】
より詳細には、本発明は、竜頭の端面に設けられるロゴや商標の位置を所定の位置又は向きに容易に調整することができるような、ロゴや商標のようなモチーフがある単純で経済的な構成のねじ込み式の竜頭の向き調整デバイスを提供することを目的とする。
【０００９】
また、本発明は、従来提案されていたねじ込み式の向きを合わせることが可能な竜頭よりも信頼性が高いものを提供することをも目的とする。
【課題を解決するための手段】
【００１０】
これらの目的は、他の目的とともに、以下の説明を読むことでより明確に理解することができ、本発明に係るねじ込み式の向きを合わせることが可能な竜頭によって達成される。このねじ込み式の向きを合わせることが可能な竜頭は、チューブと一体化されており特有な印があるカバーと、腕時計のケース中間部にマウントされ前記チューブを受けるように意図された固定された本体と、及び前記腕時計のケース中間部に対する前記カバーの角度的向きを調整する手段とを有する。
【００１１】
本発明によると、前記カバーの角度的向きを調整する手段は、前記チューブにねじ込まれるように構成しているリングを有し、前記リングは、前記本体に形成された第２のインデクシング手段と連係するように構成している第１のインデクシング手段を有し、前記リングは、前記第１及び第２のインデクシング手段を介して前記本体に押され前記本体に接するように配置される。
【００１２】
これらの特徴の結果、カバーにあるモチーフの向きを、ケース中間部に対して特定の長期的な再現可能な角位置に容易に調整することができ、同時に、ユーザー側に起因するいずれの偶発的な取り扱いの誤りをも防ぐことができる。
【００１３】
また、この新規な構成は、竜頭の外側のユーザーに見えないという利点がある。なぜなら、提案している調整デバイスは、カバーによってカバーされており隠れているからである。したがって、腕時計の美的外観に影響を与えない。
【００１４】
本発明の他の好ましい変形態様によると、以下の特徴を有する。
−  前記第１及び第２のインデクシング手段には、一方が他方の内側になるように軸方向に係合するように構成しているフルート溝がある。
−  前記リングは、前記チューブと前記本体の間で押され、前記チューブ、前記リング及び前記本体は、前記カバーに形成された環状の溝の内側に収容される。
−  前記本体には、前記リングに対する止めを形成する内側肩部がある。
−  前記チューブには、前記リングに当接する止め面がある。
−  前記カバーと前記本体の間に、シーリング手段が配置される。
−  前記チューブは、前記リングのねじ山付き区画と連係するように構成している外側ねじ山を有し、これによって、当該竜頭をねじ込み／緩める。
−  前記リングは、前記本体と前記カバーの間で押される。
【００１５】
本発明は、さらに、本発明に係る竜頭を腕時計のケース中間部にマウントする方法に関する。
【００１６】
本発明は、さらに、本発明に係る竜頭を有する計時器に関する。
【００１７】
図面を参照しながら本発明の特定の実施形態（説明用の例として与えられるものであって、これに制限されない）についての以下の説明を読むことで、本発明の他の特徴及び利点を明確に理解することができるであろう。
【図面の簡単な説明】
【００１８】
【図１】本発明に係るねじ込み式の向きを合わせることが可能な竜頭の矢状方向の断面図である。
【図２】図２ａは、ねじ込み式の向きを合わせることが可能な竜頭の横断方向の断面図であり、図２ｂは、リングが本体に押し込まれる前の本発明に係るねじ込み式の竜頭の矢状方向の断面図である。
【図３】本発明に係るねじ込み式の向きを合わせることが可能な竜頭の分解断面図である。
【発明を実施するための形態】
【００１９】
以下、図１、２及び３をともに参照しながら、特定の実施形態に係る制御メンバーについて説明する。
【００２０】
図１には、好ましい実施形態に係るねじ込み式の竜頭Ｃをその回転軸Ａ−Ａに沿って示した矢状方向の断面図を示している。これは、本発明の好ましい実施形態に係る向き調整機構を明らかにしている。ここで、竜頭は、ねじ込まれた位置にあり、固定された本体２の内側で滑るチューブ３と一体化されたカバー１を有し、この固定された本体２を、腕時計のケース中間部１００内に、シーリングされた形態で、押し込み、かつ／又は、ねじ込み、かつ／又は、接合することができる。本発明によると、竜頭Ｃは、さらに、カバー１にある特有な印Ｌの角位置の向きを合わせるために、腕時計のケース中間部に対するカバー１の角度的向きを調整する手段を有する。カバー１と本体２の間にはシーリング手段１０が配置される。
【００２１】
シーリング手段は、本体２とカバー１の裾部１１の間に挿入される、Ｏリングジョイントのようなガスケット７を有し、これによって、腕時計のシーリングを確実にする。カバー１の裾部１１に形成された環状のハウジング１０に、ガスケット７が配置され、これは、本体２に沿って延在し、止めリング７１によって適所に保持される。
【００２２】
カバー１の角度的向きを調整する手段は、チューブ３にねじ込まれるように構成しているリング４を有する。リング４は、本体２に形成された第２のインデクシング手段と連係するように構成している第１のインデクシング手段を有する。図１において、チューブ３には、リング４のねじ山付き区画４０と連係するように構成している外側ねじ山３２がある。これによって、竜頭をねじ込み、かつ／又は、緩める。好ましいことに、リング４は、第１及び第２のインデクシング手段によって本体２内に、配置され、そして、押し込まれる。
【００２３】
本発明の第１の実施形態によると、第１及び第２のインデクシング手段は、一方が他方の内側になるように軸方向に係合するように構成しているフルート溝又は歯列を有する。これによって、カバー１を正確に配置する。好ましくは、カバー１を担持するチューブ３にリング４がねじ込まれると、リング４が本体２に押し込まれる。
【００２４】
図１において、竜頭の中央部は、チューブ３内の軸方向の空洞３０内に収容されるピストン５の下側部分５１に形成されたねじ山付き非貫通穴５０を介して計時器用ムーブメントの巻きステム（図示せず）に接続される。ピストン５は、カバー１の内面１０に当接しているばね６に対して滑らせ、ピストン５によって、特に、調整を行うために竜頭が緩められたときにカバー１をケース中間部から外側に出すことが可能になる。ピストン５は、巻きステムに接続されるように意図されているので、ケース中間部に対するピストン５の軸方向の位置が、典型的には３つの離散的な値によって、インデクシングされる。例えば、その第１の値は、メインばねの巻きに、第２の値は、時刻調整に、第３の値は、日付調整に、対応している。
【００２５】
本発明によると、カバー１はチューブ２上に組み立てられ、これによって、カバー１とチューブ２は、通常、回転可能に軸方向に一体化される。この組み立ては、取り外し可能ないし可逆的な手法で達成される。
【００２６】
カバー１は、軸方向の裾部１１を有し、この裾部１１の内側に、ケース中間部１００ともチューブ３とも一体化された本体２の端を受けるように構成している環状の溝１２が形成されており、リング４は、チューブ３と本体２の間に配置されている。カバー１には、上側面があり、この上側面には、竜頭の外部から見ることができるロゴや商標のような特有な印Ｌが施されている。図面においては、Omegaロゴが示されている。
【００２７】
図示した好ましい実施形態によると、第１及び第２のインデクシング手段が、本体２の内面２００とリング４０の外面４００の間に挿入され、第１及び第２のインデクシング手段には、本体２の内面２００に配置されているフルート溝２０１と、リング４０の外面４００に配置されているフルート溝４０１とが形成されている。図示した実施形態において、これらのフルート溝は、回転軸Ａ−Ａの方向に軸方向に連係して、竜頭Ｃの向きを調整する動作を行う。
【００２８】
図２ａ及び２ｂは、本発明に係るインデクシング手段の好ましい実施形態を示している。描かれている好ましい実施形態によると、インデクシング手段は、互いを押すフルート溝２０１、４０１又は歯列の連係によって構成している。また、図３の分解図において、フルート溝２０１及び４０１も観察することができる。
【００２９】
このような構成には、提案している竜頭１の角度的向きを調整するために用いられる部品の数を少なくするという利点がある。
【００３０】
図２ａ及び２ｂに示すように、本体２には、本体２の下側部分にある内側肩部２０があり、これは、リング４が本体２に押し込まれたときのリング４に対する止めを形成している。この内側肩部２０の上のすぐ近くに、本体２には、さらに、本体２の上部の１つの部分にわたって延在しているフルート溝２０１がある。もちろん、平行移動して滑ることができ本体２に対してリング４の回転をロックすることができる、歯列、溝又は任意の他の形状の要素によって、フルート溝２０１を置き換えることができる。
【００３１】
チューブ３には、その上部に形成され竜頭がねじ込まれたときにリング４に当接する止め面３１がある。好ましいことに、チューブ３の止め面３１は、リング４をカバーしており、本体２の上部とフラッシュ状態であり、このとき、リング４は、本体２とチューブ３の間に収容される。このような竜頭の構成によって、その構造に必要な寸法と部品の数を抑えることが可能になる。
【００３２】
図示していない別の実施形態によると、本体２の外側にリング４が押し付けられ、このとき、竜頭は、裾部１１においてリング４にねじ込まれる。この実施形態において、フルート溝２０１は、本体２の内面にあり、フルート溝４０１は、リング４の外側にある。
【００３３】
本発明に係る制御竜頭Ｃは、以下のように腕時計のケース中間部に対して組み立てられる。
−  カバー１がチューブ３上にマウントされる。例えば、チューブ３に押され又はねじ込まれる。
−  押し込むこと、ねじ込むこと及び／又は接合によって、ケース中間部１００の内側に本体２をマウントする。
−  ガスケット７を、カバー１の内側、裾部１１の内側、本体２とカバー１の間に、配置することができる。
−  単一のアセンブリーを形成するように、リング４をチューブ３に可能な限り多くねじ込む。
−  フルート溝２０１、４０１によって特有な印Ｌの向きが選択され、リング４が本体２の内側肩部２に当接するまで、本体２のフルート溝２０１の間でリング４のフルート溝４０１を軸方向に滑らせることによって、前のステップで得られたアセンブリーを本体２内に押し込む。
【００３４】
このようにして、ねじ込み式の竜頭Ｃは、その向きを維持し、この竜頭Ｃがねじ込まれ、かつ／又は、緩められるごとに、特有な印が適切な向きを向く。
【００３５】
本発明は、さらに、ねじ込み式の竜頭を有する腕時計ケースに関する。
【００３６】
これらの本発明の異なる態様のおかげで、構成のための部品数を比較的少なくしつつ、竜頭の角位置をインデクシングすることができる単純設計のねじ込み式の向きを合わせることが可能な竜頭を得ることができる。
【００３７】
もちろん、本発明は、図示した例に制限されず、当業者が想到できる様々な変形態様及び改変を行うことができる。なお、本発明は、例えば、手動又は自動の弁、押し部品、変更機構、又は向きを合わせることが可能な裏蓋にも適用可能である。
【符号の説明】
【００３８】
１：カバー
１０：カバーの内面
１１：裾部
１２：環状の溝
１１０：環状のハウジング
２：本体
２０：内側肩部
２００：外面
２０１：フルート溝
３：チューブ
３０：軸方向の空洞
３１：止め面
３２：外側ねじ山
４：リング
４０：ねじ山付き区画
４００：内面
４０１：フルート溝
５：ピストン
５０：非貫通穴
５１：ピストンの下側部分
６：ばね
７：ガスケット
７１：止めリング
１００：ケース中間部
Ａ：竜頭の回転軸
Ｃ：竜頭
Ｌ：特有な印
【図１】
2018021906.tif 000003
【図２】
2018021906.tif 000004
【図３】
2018021906.tif 000005